(57)【要約】      （修正有）【課題】少尿漏れによって生じる下着の汚れによる不快感や不潔感から逃れることができる少尿漏れ吸収パッドを提供する。【解決手段】少尿漏れ吸収パッドは、パンツや衣服に付随することなく単体で、男性の陰部を中心に装着でき且つ、簡単に着脱できて使い捨てを可能とした尿吸収パッドであって、尿を吸収するパッドの部分と、このパッドを陰部に当てながら予め腰部に装着されている腰ベルトに係脱自在とする吊り上げベルトと、本パッドをさらに陰部に安定的に定着させるための嵌着開口部とから構成されている。【選択図】図３
0003175635.tif 000002
【実用新案登録請求の範囲】
【請求項１】
少尿漏れ吸収パッド本体は、主体をなす尿吸収部と、その尿吸収部に付随して陰茎陰曩を嵌め込んで前記パッド本体を陰部に定着させるための嵌着開口部と、から構成されている事を特徴とする少尿漏れ吸収パッド。
【請求項２】
上記尿吸収部には、排尿排便時に該パッド本体を取り外すことを避けようと、陰茎が当接する適宜の部位に排尿時の陰茎出入口を備えた事を、特徴とする請求項１記載の少尿漏れ吸収パッド。
【請求項３】
前記尿吸収部には、上記陰茎出入口の裏側で該尿吸収部の下方部分の過半の部位に陰茎陰曩を収納する受納室を設えていて、その受納室の後部壁面中央部適宜の部位に、陰茎陰曩を嵌め込んで陰曩根幹を軸に、該パッド本体が左右への滑落を防止すると同時により安定的に定着させるために、前記嵌着開口部を備えた事を、特徴とする請求項１記載の少尿漏れ吸収パッド。
【考案の詳細な説明】
【技術分野】
【０００１】  本考案は、パッド本体に尿吸収部及び陰茎陰曩根を嵌め込む嵌着開口部並びにパッド本体を陰部に定着させる吊り上げベルト等を備えた少尿漏れ吸収パッドに関するものである。
【背景技術】
【０００２】  排尿後に陰茎に残る少々の残尿が、衣服内に漏れ出てしまうと言う、不快な経験は男性であれば誰でもが持つもので、これらに対し、単体で手軽に装着し、必要に応じて速やかに取替えて、気軽に使い捨てを可能とする尿取パッド等は、現在見当たらないのである。
【考案の開示】
【考案が解決しようとする課題】
【０００３】  男性の尿取パッドは、昨今の状況を見る時、種々のものが考えられているようではあるが、いずれにおいてもパンツ等衣服に付帯されているものや、股間部から股下を潜らせて背面で結んで装着するベルト形式のもあって、これでは肛門を塞いでしまい排便時の不便さを内包したもの等であって、いずれにせよ必要時の状況に合わせての利便性や、簡便に交換使い捨てを果せるようなものには成ってはいなかったり、高価であったりで、気軽に使用出来るものとはなっていないのである。
しかしながら、男性の尿漏れは度々起こりうるものであり、排尿後の陰茎に残る少々の残尿が衣服内に漏れ出すことは、人によって多少の差はあろうが、成人男性には日常的なもので、外出中や仕事中の活動時に簡便に交換できるような、適宜なものが無い現在では、不快感を抱きながら自己の失態を悔いつつ、衣服の乾燥を待つと言うのが現実であろう。
本考案は、これらを解決しょうと成されたもので、男性の陰部に単体で装着できて、活動中であっても寸暇を利用して、お手洗い等で簡単に、しかも迅速に交換できて、気軽に使い捨てを可能とし、男性の常備品として携帯することが、一般的な男性のステータス・シンボルとされるようにしたいと、少量の尿漏れに対応する少尿漏れ吸収パッドを提供しようとするものである。
【課題を解決するための手段】
【０００４】  本考案の少尿漏れ吸収パッドは、その主となした尿吸収部と、その尿吸収部には陰茎陰曩を嵌め込む為の嵌着開口部と、該パッド本体を陰部に装着して係脱自在とする吊り上げベルト等からなる一体化形成された少尿漏れ吸収パッド本体であって、上記尿吸収部には、排尿排便時に該パッド本体を取り外すことを避けようと、陰茎が当接する適宜の部位に排尿時の陰茎出入口を設け、また、該尿吸収部の裏側の下方部分の過半には、陰茎陰曩を収納する為の受納室を設え、また、上記嵌着開口部は、該パッド本体が左右に滑落することを防ぐと同時に陰茎陰曩を嵌め込んで陰曩根幹を軸に定着させるために、該受納室後部壁面中央適宜の部位に設けられている。また、上記吊り上げベルトは、該嵌着開口部上端左右両端に付着されていて、前記嵌着開口部と相俟って、該パッド本体を陰曩根幹に定着させながら吊り上げて、該パッド本体をさらに固着させ、予め腰部に装着されている腰ベルト等に係脱自在とするものであり、また、包含ベルトは、該尿吸収部と該吊り上げベルトとを繋ぎ該尿吸収部を固定し、該尿吸収部が陰茎陰曩の前面を覆い包み込めるようにする為のものであり、該尿吸収部上端左右両端に包含ベルトは付着されている。
以上の機能を前記尿吸収部に備え、該パッド本体を単体で陰部に装着させようとするものが、本考案の一体化形成された少尿漏れ吸収パッド本体である。
【考案の効果】
【０００５】  上述の様に、該パッド本体によれば、他の衣服等に付帯することなく、単体で陰部に装着でき且つ、簡便に着脱使い捨てが可能となるため、その時々の状況に応じて交換が可能となり、常に衛生的で快適な日常生活を送ることが出来きるのである。
また、単体で陰曩根幹を軸に陰部の前面でみの装着できるようにしたことと、尿吸収部に陰茎の出入口を備えたことによって、排尿時はもとより、排便時にも該パッド本体を取り外すことなく用を足すことが出来るようにした。
また、本考案によれば、利用する素材にもよるが、例えば、再生の紙質性等の素材を利用することによっては、低価格な製品として惜しげなく交換使い捨てが可能となり、多くの男性の股間部の不快感を除去し衛生的で、さらには、爽やかな日々を送ることが出来て喜ばれ、行く末は男性のステータス・シンボルとして携行され、その利用を促がすことが出来るものであろう。
【考案を実施するための最良の形態】
【０００６】  本考案のパッド本体１は、尿吸収部２を備え、該尿吸収部２には、排尿排便時に該パッド本体１を取り外すことを避けようと、陰茎が当接する適宜な部位に排尿時の陰茎出入口５を設け、また、該尿吸収部２の裏側下方部分の過半には、陰茎陰曩を包み込んで収納する受納室７を有し、該受納室７の後部壁面中央の適宜の部位にパッド本体１が左右に滑落することを防ぐ為に、陰茎陰曩を嵌め込んでパッド本体１を定着させる嵌着開口部４が設けられている。
なお、該嵌着開口部４の上端左右両端には、該パッド本体１を該嵌着開口部４と相俟って陰曩根幹を軸に定着させながら、あらかじめ腰部に装着されている腰ベルト８に係脱自在とする吊り上げベルト３が付着されている。
また、包含ベルト６は、該尿吸収部２の上端左右両端に付着されていて、該尿吸収部２と該吊り上げベルト３の左右双方とをそれぞれ適宜の方法と部位に繋ぎ、該尿吸収部２に依って陰茎陰曩の前面部分を包含させるためのものである。
８は腰部に装着する腰ベルトで、該吊り上げベルト３を係脱自在とする。
なお、上記尿吸収部２にあっては、図面上からはキャップ形式を連想されると思うが、必ずしも説明のための図示に拘る必要は無く上述の事項を満たし、例えば、帯状の形態等でも良とする。
また、前記腰ベルト８を省きたい場合には、吊り上げベルト３のベルトを長尺として、左右双方とも骨盤に添って上進し、骨盤最上部で背面に廻して交差させて前腹部へ戻して結び止めした、その両脇腹部付近に包含ベルト６を係止する形式でも良とする。
【実施例】
【０００７】  以下、添付図面に従って、実施例を説明する。
１は柔軟な布や紙質等適宜の素材で構成されて一体化形成された少尿漏れ吸収パッド本体。
２は漏れ出した尿を吸収するための尿吸収部で、該パッド本体１の大部分を占め、後述の機能の概ねを付帯している。
３は該尿吸収部２に設えられ後述の嵌着開口部４の上端左右両端にそれぞれ付着されている吊り上げベルトで、該パッド本体１を吊り上げて陰曩根幹を軸に定着させながら、後述の腰ベルト８に係脱自在とする。
４は前述の嵌着開口部で、該尿吸収部２の下辺部に設けられた、後述の受納室後部壁面中央部に設けられていて陰茎陰曩を嵌め込んで陰曩根幹を軸に該パッド本体１を定着させて、該パッド本体１の滑落を防止する。
５は該尿吸収部２の前面に設けられる排尿時の陰茎出入口で、排尿排便時に該パッド本体１を取り外すことを避けようとして設えられている。
６は包含ベルトで、該尿吸収部２の上端左右両端に付着され、該尿吸収部２と該吊り上げベルト３を適宜の方法と部位とに繋ぎ、該パッド本体１を陰茎陰曩の前面に定着させる。
７は該尿吸収部２の下辺部に設けられて、陰茎陰曩を収納する為の前述の受納室。
８は腰部に装着する前述の腰ベルトで、該吊り上げベルト３を係脱自在とする。
【図面の簡単な説明】
【０００８】
【図１】図１は、本実施形態の少尿漏れ吸収パッドの全体を示す正面斜視図である。
【図２】図２は、本実施形態の少尿漏れ吸収パッドの全体を示す裏面斜視図である。
【図３】図３は、本実施形態の少尿漏れ吸収パッドの装着予想を示す立体図である。
【符号の説明】
【０００９】  １少尿漏れ吸収パッド
２尿吸収部
３吊り上げベルト
４嵌着開口部
５陰茎出入口
６包含ベルト
７受納室
８腰ベルト
【図１】
0003175635.tif 000003
【図２】
0003175635.tif 000004
【図３】
0003175635.tif 000005